(57)【要約】【課題】補聴器を落下しにくくすることによって、より装着感を高くする。【解決手段】本発明は、補聴器本体１と、補聴器本体に一端が接続され、他端から耳の中に音を出力し、中部にばね状の長さ調整部を有するチューブ２と、一端に長さ調整部と係合する接続部を有し、他端に耳たぶに引っ掛ける引掛部を有する保持具３と、を備える。ばね状の長さ調整部が元に戻ろうとする上向きの弾性力と、保持具が下に引っ張る力とが釣り合うので、補聴器が安定的に耳に装着され、補聴器が耳から外れにくくなり、落下しにくく、補聴器装用者の装着感を高くできる。【選択図】図１
2011188229.tif 000002
【特許請求の範囲】
【請求項１】
補聴器本体と
前記補聴器本体に一端が接続され、他端から耳の中に音を出力し、中部にばね状の長さ調整部を有するチューブと、
一端に前記長さ調整部と係合する接続部を有し、他端に耳たぶに引っ掛ける引掛部を有する保持具と、を備える補聴器。
【請求項２】
前記保持具の前記接続部は、前記チューブが貫通する中空部分を有する、請求項１に記載の補聴器。
【請求項３】
前記チューブの前記長さ調整部は複数の湾曲部で構成され、前記複数の湾曲部のうち、前記他端に最も近い湾曲部の終端側に前記接続部が係合する、請求項１または２に記載の補聴器。
【発明の詳細な説明】
【技術分野】
【０００１】
本発明は補聴器に関するものである。
【背景技術】
【０００２】
補聴器のタイプの一つに、補聴器本体を耳の後ろに掛けて保持する耳かけ型の補聴器がある。この補聴器では、補聴器本体からチューブが延びており、チューブの先端には耳栓が設けられている。耳栓は外耳道中に挿入される。
耳の形状やサイズは補聴器装用者ごとに異なる。例えば特許文献１は、折り曲げ可能な金属ワイヤでチューブを形成することにより、各装用者の耳にあわせて金属ワイヤを変形させることができるので、補聴器装用者の装着感を高くできると説明している。
【先行技術文献】
【特許文献】
【０００３】
【特許文献１】特開2007-312372号公報
【発明の概要】
【発明が解決しようとする課題】
【０００４】
しかしながら、特許文献１の補聴器では、金属ワイヤを変形させると、金属ワイヤは下に戻ろうとして、耳から外れる方向に力が働き、補聴器が耳から外れて落下しやすい。結果として、補聴器装用者の装着感を十分に高くできない。そこで本発明は、補聴器を落下しにくくすることによって、より装着感を高くすることを目的とする。
【課題を解決するための手段】
【０００５】
本発明の補聴器は、補聴器本体と前記補聴器本体に一端が接続され、他端から耳の中に音を出力し、中部にばね状の長さ調整部を有するチューブと、一端に前記長さ調整部と係合する接続部を有し、他端に耳たぶに引っ掛ける引掛部を有する保持具と、を備える。
【発明の効果】
【０００６】
本発明の補聴器では、ばね状の長さ調整部が元に戻ろうとする上向きの弾性力と、保持具が下に引っ張る力とが釣り合うので、補聴器が安定的に耳に装着される。従って、補聴器が耳から外れにくくなり、落下しにくく、補聴器装用者の装着感を高くできる。
【図面の簡単な説明】
【０００７】
【図１】本発明の実施形態の補聴器の外観図
【図２】図１の補聴器を耳に装用した状態を示す図
【発明を実施するための形態】
【０００８】
図１は本発明の実施形態の補聴器１０の外観図であり、図２は補聴器１０を耳に装用した状態を示す図である。図１に示すように補聴器１０は、補聴器本体１と、補聴器本体１にその一端が接続されるチューブ２と、チューブ２を保持する保持具３とを有する。チューブ２は、その一端が補聴器本体１に接続され、他端に耳栓（イヤーチップ）４を有し、耳栓４から耳の中に音を出力する。また、チューブ２は、その中部（途中）に、ばね状の長さ調整部５を有する。保持具３は、一端に長さ調整部５と係合する接続部６を有し、他端には、補聴器を耳に装用した場合に耳たぶに引っ掛けるための引掛部７を有する。
【０００９】
図２に示すように、補聴器装用者が補聴器１０を装用する場合、補聴器本体１は耳の後ろに、耳介と頭との間に挟まれるように配置される。本体に接続されたチューブ２は、長さ調整部５が伸ばされて、各補聴器装用者に適合するように長さや形状が調整されながら、チューブ２の先端に設けられた耳栓４が外耳道に配置される。そしてこのチューブ２と接続された保持具３は、一端が、耳たぶ２０の下に引っ掛けられる。
本実施形態の補聴器１０では、各補聴器装用者の耳の形状やサイズに適合するように、チューブ２の長さ調整部５が伸ばされる。ここで、チューブ２を接続した補聴器本体１だけを装用すると、長さ調整部５の復元力により、耳から外れやすくなってしまう。本実施形態では、保持具３を用い、この保持具３の引掛部７を耳たぶに引っ掛けるので、保持具３がチューブ２を下方向に引っ張り、長さ調整部５が元に戻ろうとする上向きの弾性力と、保持具が下に引っ張る力とが釣り合うので、補聴器が安定的に耳に装着される。従って、補聴器１０が耳から外れにくくなり、落下しにくく、補聴器装用者の装着感を高くできる。
【００１０】
以下、補聴器１０をより詳細に説明する。補聴器本体１は例えば、マイクと、マイクからの入力音を増幅等して補聴処理する補聴処理部と、補聴処理部で補聴処理された音を出力するスピーカとを有する。
【００１１】
チューブ２は、例えば中空状のシリコンやエラストマーなどの、弾性を有し、変形自在な樹脂で形成される。チューブの内径は１ｍｍ〜２ｍｍ程度で、外径は１．５ｍｍ〜２．５ｍｍ程度である。あるいは、樹脂の内部に紐状の金属ワイヤを長手方向に埋設したものを用いても良い。金属ワイヤを用いる場合には、樹脂の内壁、外壁または中空部分に金属ワイヤを配置すればよい。金属ワイヤには、例えばステンレスや銅、タングステンなどの金属を用いることができる。
【００１２】
チューブ２は一端にコネクタが設けられ、このコネクタが補聴器本体１と接続される。また、チューブ２は他端に耳栓４が設けられる。補聴器本体１のスピーカから出力された音は、中空状のチューブ２を介して耳栓４の孔から外耳道に出力される。なお、スピーカは耳栓４に設けてもよい。スピーカを耳栓４に設ける場合には、チューブ２の中に、補聴処理部とスピーカとを結ぶ配線を設ける。
【００１３】
チューブ２の中部に設けられた、ばね状の長さ調整部５は、２以上の湾曲部で構成される。すなわち、長さ調整部５は、ばねのように２回以上折り曲げられて構成される。チューブ２が目立たないよう、チューブ２は、頭又は耳の表面と同じ面内で湾曲させるのが好ましい。チューブ２の長さは典型的には比較的短く設計され、装用者が耳に装用する際に、長さ調整部５が伸ばされる。本実施形態の補聴器１０の場合、長さ調整部５は、２つの湾曲部５Ｗ１と５Ｗ２とで構成されている。この長さ調整部５において、チューブ２の耳栓４側の端部に最も近い湾曲部５Ｗ２の終端側（耳栓４側）の接続部６で、保持具３が接続される。
【００１４】
保持具３は一端に中空のリング形状の接続部６を有し、この中空部分にチューブ２を通している。なお、接続部６は鍵状でもよい。チューブ２における接続部６の位置は、各補聴器装用者に適合するよう、移動可能である。保持具３の接続部６は、チューブ２の長さ調整部５において、チューブ２の耳栓４側の端部に最も近い湾曲部５Ｗ２の終端側（耳栓４側）と係合し、保持具３とチューブ２とが接続される。保持具３は、例えば、金属ワイヤ、または、シリコンやエラストマーなどの樹脂で構成される。チューブ２に保持具３を接続させることにより、補聴器装用時に汗などの水滴がチューブ２の長手方向に沿って流れてきた場合に、その水滴は保持具３の長手方向に沿って流れるので、外耳道内に浸入するのを防ぐことができる。
【００１５】
次に、補聴器１０の装着方法の一例を説明する。保持具３の接続部６にチューブ２の長さ調整部５が予め接続されたものを準備し、チューブ２の先端のコネクタ８を、補聴器本体１の先端に取付ける。次に補聴器本体１を耳の後ろに装着し、耳栓４を外耳道に配置する。このとき、装用者の耳の形状やサイズに合うよう、チューブ２の長さ調整部５を伸ばして長さを調整する。次に、保持具３の先端の引掛部７を耳たぶ２０の下に引っ掛けて、チューブ２を下に引っ張るようにして固定する。
【産業上の利用可能性】
【００１６】
本発明によると、補聴器を落下しにくくすることによって、より装着感を高くすることができるので、様々な形態の補聴器に広く利用可能である。
【符号の説明】
【００１７】
１  補聴器本体
２  チューブ
３  保持具
４  耳栓
５  長さ調整部
５Ｗ１  湾曲部
５Ｗ２  湾曲部
６  接続部
７  引掛部
８  コネクタ
１０  補聴器  
２０  耳たぶ
【図１】
2011188229.tif 000003
【図２】
2011188229.tif 000004